(57)【要約】【課題】設置空間の高さが低い場所にも設置することができる昇降式照明装置を提供供する。【解決手段】被取付部１１の上側１１ａに取付けられた本体部２０に、昇降部３０の上昇に伴って安定器３３を傾けるとともに昇降部３０の下降に伴って安定器３３を直立させる回動機構１２を設けたので、昇降部３０を上昇させて被取付部１１の開口部１１ｂに取付けたときには、安定器３３は被取付部１１の上側１１ａにおいて傾く。このため、被取付部１１の上側１１ａの高さを低減することができる。これに伴い、設置空間の高さが低い場所にも設置することができる。また、昇降部３０の下降の際には昇降部３０は直立するので、安定して下降することができる。【選択図】図１
2010103036.tif 000002
【特許請求の範囲】
【請求項１】
被取付部の上側に取り付けられ昇降装置を有する本体部と、前記被取付部に設けられた開口部を介して前記昇降装置によりワイヤーで昇降可能に吊り下げられた昇降部とを有し、
前記昇降部がランプを有し前記昇降装置に接続された灯体と、この灯体の上側に接続された安定器とを有する昇降式照明装置であって、
前記安定器は前記灯体に対して回動可能に設けられ、
前記本体部が、前記昇降部の上昇に伴って前記安定器を傾けるとともに、前記昇降部の下降に伴って前記安定器を直立させる回動機構を有することを特徴とする昇降式照明装置。
【請求項２】
前記回動機構が、
前記安定器の上端部に設けられたガイド突起と、
前記本体部に設けられ、前記昇降部の上昇に伴って前記ガイド突起を前記昇降部の昇降方向と交差する方向へ移動させる傾斜面を有するガイド金具、とを有することを特徴とする請求項１記載の昇降式照明装置。
【請求項３】
前記ワイヤーが切れた際に、前記昇降部の自由落下を防止する落下防止装置を設けたことを特徴とする請求項1または２記載の昇降式照明装置。
【請求項４】
前記回動機構により前記安定器を回動させるとき以外のときのみ、前記安定器が前記回動機構により前記安定器を回動させる方向へ回動するのを防止する回動防止機構を設けたことを特徴とする請求項1ないし請求項３のいずれかに記載の昇降式照明装置。
【発明の詳細な説明】
【技術分野】
【０００１】
本発明は、例えばコンサートホールや体育館、コンベンションホール等の構造物の天井に取り付けられてワイヤーによって光源を内蔵した昇降体を昇降自在な照明用昇降装置に関する。
【背景技術】
【０００２】
従来より、光源を有する灯体を上昇させ、構造物の天井等の高所に取付けて点灯させたり、下降させて光源の交換等を行う昇降式照明装置が知られている（例えば特許文献１参照）。
図６に示すように、一般的な昇降式照明装置１００は、天井１０１等の高所に取付けられるものであり、天井裏１０１ａに取付けられる本体部１０２と、天井１０１に設けられている開口部１０１ｂを介してワイヤー１０３で吊り下げられる昇降部１０４とを有する。
本体部１０２は、巻き上げられた昇降部１０４を収容する収容空間１０５を有するフレーム１０６を有している。フレーム１０６の上端部には、ワイヤー１０３を巻き上げあるいは下ろす昇降装置１０７および昇降部１０４に電力を供給する本体部側給電装置１０８を有する。
また、昇降部１０４は、下端部にランプ１０９、ランプ１０９を収容する灯体１１０、ランプ１０９を点灯させるための安定器１１１、安定器１１１に電力を供給する昇降部側給電装置１１２を有している。
【０００３】
このような昇降式照明装置１００は、昇降装置１０７によりワイヤー１０３を巻き上げて昇降部１０４を引き上げ、灯体１１０を天井１０１の開口部１０１ｂに嵌合させるとともに、昇降部側給電装置１１２を本体部側給電装置１０８に接続して、ランプ１０９を点灯可能にする。
また、昇降装置１０７によりワイヤー１０３を繰り出して、昇降部側給電装置１１２を本体部側給電装置１０８から切り離すとともに昇降部１０４を下降させて、ランプ１０９や安定器１１１の交換等のメンテナンスを行う。
【特許文献１】特開２０００−１６７６７号公報（第２図）
【発明の開示】
【発明が解決しようとする課題】
【０００４】
しかしながら、前述したような従来の昇降式照明装置１００においては、天井裏１０１ａに取付けられる本体部１０２の収容空間１０５の高さＤが、灯体１１０の高さｄ１と安定器１１１の高さｄ２を加えたものよりも大きい必要がある。すなわち、Ｄ＞ｄ１＋ｄ２であるため、本体部１０２の高さが大きくなり、天井裏１０１ａの高さが低い場所では設置できないという問題があった。
【０００５】
本発明は、従来の問題を解決するためになされたもので、設置空間の高さが低い場所にも設置することができる昇降式照明装置を提供することを目的とする。
【課題を解決するための手段】
【０００６】
本発明の昇降式照明装置は、被取付部の上側に取り付けられ昇降装置を有する本体部と、前記被取付部に設けられた開口部を介して前記昇降装置によりワイヤーで昇降可能に吊り下げられた昇降部とを有し、前記昇降部がランプを有し前記昇降装置に接続された灯体と、この灯体の上側に接続された安定器とを有する昇降式照明装置であって、前記安定器は前記灯体に対して回動可能に設けられ、前記本体部が、前記昇降部の上昇に伴って前記安定器を傾けるとともに、前記昇降部の下降に伴って前記安定器を直立させる回動機構を有する構成を有している。
【０００７】
この構成により、被取付部の上側に取付けられた本体部に、昇降部の上昇に伴って安定器を傾けるとともに昇降部の下降に伴って安定器を直立させる回動機構を設けたので、昇降部を上昇させて被取付部の開口部に取付けたときには、安定器は被取付部の上側において傾く。
このため、被取付部の上側の高さを低減することができる。これに伴い、設置空間の高さが低い場所にも設置することができる。
また、昇降部の下降の際には昇降部は直立するので、安定して下降することができる。
さらに、安定器がランプの真上に設けられていないので、ランプによる安定器ｎ加熱を防止することができる。
【０００８】
また、本発明の昇降式照明装置は、前記回動機構が、前記安定器の上端部に設けられたガイド突起と、前記本体部に設けられ、前記昇降部の上昇に伴って前記ガイド突起を前記昇降部の昇降方向と交差する方向へ移動させる傾斜面を有するガイド金具、とを有する構成を有している。
【０００９】
この構成により、昇降部の昇降に伴って、安定器の上端部に設けられたガイド突起が、本体部に設けられたガイド金具の傾斜面に沿って移動するので、昇降部を被取付部に取付けた状態では安定器は傾いている。
【００１０】
また、本発明の昇降式照明装置は、前記ワイヤーが切れた際に、前記昇降部の自由落下を防止する落下防止装置を設けた構成を有している。
【００１１】
この構成により、落下防止装置が昇降部の自由落下を防止するので、安全を確保することができる。
【００１２】
さらに、本発明の昇降式照明装置は、前記回動機構により前記安定器を回動させるとき以外のときのみ、前記安定器が前記回動機構により前記安定器を回動させる方向へ回動するのを防止する回動防止機構を設けた構成を有している。
【００１３】
この構成により、回動機構により安定器を回動させない昇降時には、回動防止機構により安定器の回動を防止するので、安定して昇降させることができる。
また、上昇端付近では回動防止機構が作動しないので、安定器を回動させることができる。
【発明の効果】
【００１４】
本発明は、被取付部の上側に取付けられた本体部に、昇降部の上昇に伴って安定器を傾けるとともに昇降部の下降に伴って安定器を直立させる回動機構を設けたので、昇降部を上昇させて被取付部の開口部に取付けたときには、安定器は被取付部の上側において傾く。
このため、被取付部の上側の高さを低減することができ、設置空間の高さが低い場所にも設置することができるという効果を有する昇降式照明装置を提供することができるものである。
【発明を実施するための最良の形態】
【００１５】
以下、本発明の複数の実施形態に係る照明用昇降装置について、図面を参照して説明する。
図１は第１実施形態において灯体が被取付部に取付けられた状態を示す斜視図、図２は灯体が被取付部から離れている状態を示す斜視図である。
【００１６】
図１に示すように、本発明の実施形態である昇降式照明装置１０は、被取付部である天井の上側（天井裏）１１ａに取り付けられ昇降装置２１を有する本体部２０と、天井１１に設けられた開口部１１ｂを介して昇降装置２１によりワイヤー２２で昇降可能に吊り下げられた昇降部３０とを有する。そして、本体部２０が、昇降部３０の上昇に伴って昇降部３０に設けられた安定器３３を傾けるとともに、昇降部３３の下降に伴って安定器３３を直立させる回動機構１２を有する
【００１７】
本体部２０は、天井裏１１ａに設けられている梁等の構造部材（図示省略）に取付けられる矩形板状の本体部ベース２３を有しており、本体部ベース２３の下面一端部には昇降装置２１が取付けられている。
昇降装置２１は、モータ２１ａを有しており、モータ２１ａの回転軸の両端には各々巻取ローラ２１ｂが取付けられている。一対のワイヤー２２の一端は、それぞれ巻取ローラ２１ｂに固定されている。
【００１８】
本体部ベース２３の下面他端部の左右両端部には、それぞれ下方に向かってブラケット２１ｃ、２１ｃが設けられており、各ブラケット２１ｃの外側面にはアイドルプーリ２１ｄが回転自在に設けられている。これにより、一対のワイヤー２２、２２は、アイドルプーリ２１ｄによってガイドされるとともに向きを下方に変えている。
【００１９】
本体部ベース２３の両端部におけるワイヤー２２の内側には、回動機構１２を構成する一対の略三角形状のガイド部材（ガイド金具）２４が、平行に設けられている。各ガイド部材２４の下端面には、モータ２１ａ側に向かって上昇する傾斜面２４ａが設けられている。従って、両ガイド部材２４、２４の傾斜面２４ａ，２４ａは、モータ２１ａ側に向かって上昇する一平面上に位置することになる。
【００２０】
本体部ベース２３における一対のアイドルプーリ２１ｄ、２１ｄの間には、一対の本体部側給電部２５が設けられている。本体部側給電部２５は、全体円柱状を呈しており、下面から鉛直上方に向けて円形の凹部２５ａが設けられている。凹部２５ａの内面には、電源線（図示省略）が接続された端子を有している。
【００２１】
昇降部３０は、ランプ３１を有し昇降装置２１のワイヤー２２に接続された灯体３２と、この灯体３２の上側に接続された安定器３３とを有する。
【００２２】
ワイヤー２２の先端は昇降部ベース３４に固定されており、灯体３２は昇降部ベース３４の下面に取付けられる。昇降部ベース３４の上には、一対の支柱３５、３５が固定されており、鉛直上方に向けて平行に設けられている。支柱３５の上端部は折り曲げられて水平部３５ａが形成されており、この水平部３５ａには昇降部側給電部４２が取付けられる。昇降部側給電部４２は、円柱形状の給電部本体４２ａと、給電部本体４２ａの上面から鉛直上方へ突出する導通棒４２ｂを有する。導通棒４２ｂは、安定器３３と電気的に接続されている。
従って、導通棒４２ｂを本体部側給電部２５の凹部２５ａに挿嵌することにより、導通棒４２ｂが凹部２５ａ内の端子に接触して安定器３３に電力が供給される。
【００２３】
両支柱３５、３５の間には、一対の安定器フレーム３７、３７が平行に設けられており、安定器フレーム３７の下端部は、回動機構１２を構成する回転軸３６で連結されるとともに支柱３５に回転可能に支持されている。両安定器フレーム３７、３７の間には、安定器３３が取付けられている。また、安定器フレーム３７の先端は、ガイド棒３９によって連結されており、ガイド棒３９の両端は安定器フレーム３７から突出して、回動機構１２を構成するガイド突起３９ａが形成されている。
なお、傾斜面２４ａに沿ってスムーズに移動できるように、ガイド突起３９ａにガイドローラを設けたり、ガイド突起３９ａを摩擦抵抗が小さな材質で形成することもできる。
【００２４】
一対の安定器フレーム３７、３７の外面間隔（全幅）は、本体部２０のガイド部材２４、２４の内面間隔よりも小さく、安定器フレーム３７、３７は、ガイド部材２４、２４の内側で回転軸３６を中心として回動可能となっている。なお、ガイド棒３９の長さはガイド部材２４、２４の全幅よりも長く、ガイド棒３９の両端のガイド突起３９ａは、ガイド部材２４の傾斜面２４ａに当接可能となっている。
【００２５】
回転軸３６には回動機構１２を構成するバネ３８が取付けられており、安定器フレーム３７を図１中Ａ方向に付勢している。このため、ガイド棒３９のガイド突起３９ａは、傾斜面２４ａに下側から当接する。なお、支柱３５の中央部には、内側に折り曲げられた倒れ防止用フック４１が設けられており、バネ３８によって付勢されている安定器フレーム３７が図１中Ａ方向へ回動して倒れるのを防止している。
これにより、昇降途中（図２に示す状態）においては、安定器３３および安定器フレーム３７は、鉛直に保持される。
なお、バネ３８の付勢力は、安定器３３が倒れるときのガイド部材２４によって押される力より小さく、安定器３３および安定器フレーム３７等の重量により倒れる力よりも大きく設定する。
【００２６】
次に、昇降式照明装置１０における昇降部３０の昇降動作について説明する。
図２に示すように、昇降部３０の昇降時には、安定器フレーム３７に取付けられている安定器３３は、バネ３８の付勢力により図２中矢印Ａ方向へ付勢されており、支柱３５に設けられている倒れ防止用フック４１に押し付けられている。このため、安定器３３は、鉛直に直立している。この状態で本体部２０のモータ２１ａを回転させて、巻取ローラ２１ｂを回転させてワイヤー２２を巻き取って、昇降部３０を上昇させる。
【００２７】
図１に示すように、昇降部３０が上昇すると、昇降部３０のガイド棒３９のガイド突起３９ａが、本体部２０のガイド部材２４下面の傾斜面２４ａに当接する。さらに昇降部３０を上昇させると、ガイド突起３９ａは傾斜面２４ａに沿って、水平方向へ移動しながら上昇する（矢印Ｂ）。これにより、安定器フレーム３７は、矢印Ｃ方向へ回動する。
さらに昇降部３０を上昇させると、昇降部側給電部２５の導通棒４２ｂが、本体部側給電部２５の凹部２５ａに挿嵌されて、電力線と接続される。これにより、安定器３３に電力が供給され、ランプ３１が点灯可能となる。
【００２８】
一方、昇降部３０の下降は、モータ２１ａの回転により巻取ローラ２１ｂからワイヤー２２を繰り出すことにより、昇降部３０の自重で下降する。このとき、昇降部側給電部４２の導通棒４２ｂが本体部側給電部２５の凹部２５ａから引き抜かれて、電力の供給を断つ。
さらにワイヤー２２を繰り出すと、安定器フレーム３７は下降とともにバネ３８の付勢力により図１中Ａ方向へ回動し、図２に示すような鉛直状態となって下降する。
【００２９】
以上、説明した本実施形態では、天井１１の上側に取付けられた本体部２０に、昇降部３０の上昇に伴って安定器３３を傾けるとともに昇降部３０の下降に伴って安定器３３を直立させる回動機構１２を設けた。すなわち、昇降部３０の上昇に伴い、安定器３３の上端部に設けられたガイド突起３９ａが本体部２０に設けられたガイド部材２４の傾斜面２４ａに沿って移動するので、安定器３３は回動する。また、昇降部３０の下降に伴い、安定器３３はバネ３８によって鉛直に復帰する。
これにより、昇降部３０を上昇させて天井１１の開口部１１ｂに取付けたときには、安定器３３は天井１１の上側において傾くので、天井１１の上側（天井裏１１ａ）における昇降式照明装置１０の高さを低減することができる。これに伴い、設置空間の高さが低い場所にも設置することができる。
また、昇降部３０の下降の際には昇降部３０は直立するので、安定して下降することができる。
また、安定器３３がランプ３１の真上に位置しないので、ランプ３１による安定器３３の加熱を防止することができる。
【００３０】
次に、本発明の第２実施形態について説明する。
図３は第２実施形態にかかる昇降式照明装置の要部を示す斜視図である。なお、前述した第１実施形態にかかる昇降式照明装置と共通する部位には同じ符号を付して、重複する説明を省略することとする。
【００３１】
図３に示すように、第２実施形態にかかる昇降式照明装置１０Ｂでは、ガイド部材２４Ｂに、ワイヤー２２が切れた際に昇降部３０の自由落下を防止する落下防止装置２６を設けた。
落下防止装置２６は、ガイド部材２４Ｂの傾斜面２４ａの下側に、安定器フレーム３７のガイド突起３９ａが移動可能な空間２６ａを確保して受け部２６ｃを有し、受け部２６ｃのモータ２１ａと反対側の先端部に、ガイド突起３９ａを係止する係止突起２６ｂを有する。
【００３２】
ワイヤー２２が切断された場合には、昇降部３０はアイドルプーリ２１ｄによってガイドされないため、アイドルプーリ２１ｄの真下に自由落下するのではなく、モータ２１ａ寄りの位置で落下する。また、バネ３８の付勢力により安定器フレーム３７を鉛直に戻すよりも早く、傾いたまま落下する。このため、ガイド突起３９ａは、正常時のようにガイド部材２４Ｂの傾斜面２４ａに当接するのではなく、受け部２６ｃに当接し、傾斜に沿って落下して、係止突起２６ｂにより係止される。
【００３３】
以上、説明した本実施形態では、落下防止装置２６が昇降部３０の自由落下を防止するので、安全を確保することができる。
【００３４】
次に、本発明の第３実施形態について説明する。
図４は第３実施形態にかかる昇降式照明装置の要部を示す斜視図、図５（Ａ）はロック状態を示す斜視図、図５（Ｂ）はロック解除状態を示す斜視図である。なお、前述した第１実施形態および第２実施形態にかかる昇降式照明装置と共通する部位には同じ符号を付して、重複する説明を省略することとする。
【００３５】
安定器３３を保持した安定器フレーム３７は、バネ３８の付勢力により倒れ防止用フック４１側（図４中矢印Ａ方向）に付勢されて鉛直状態となるようとしているが、昇降時には、安定器３３の自重により反対側（図４中矢印Ｂ方向）へ回動するのを確実に防止するのが望ましい。
【００３６】
このため、図４に示すように、第３実施形態にかかる昇降式照明装置１０Ｃでは、昇降部３０の支柱３５における倒れ防止用フック４１と反対側に、回動防止機構４３を設けた。なお、昇降部３０を上昇させて天井裏１１ａに収容する際には、安定器３３は回動する必要があるため、回動防止機構４３によるロックを解除するためのロック解除金具２７を本体部２０に設けた。
【００３７】
図５に示すように、支柱３５における倒れ防止用フック４１と反対側に、安定器３３の回動方向と直交する方向のブラケット３５ｂを外向きに設け、このブラケット３５ｂに回動防止機構４３を設ける。回動防止装置４３は、回転軸４３ａによりブラケット３５ｂに回動可能に取付けられるロック金具４３ｂを有する。
【００３８】
ロック金具４３ｂの一端部は、ブラケット３５ｂの下面に当接する回転防止用フック４３ｃが折曲形成されるとともに、ロック解除金具２７によってロックを解除するロック解除用押圧部４３ｄが折曲形成されている。
また、ロック金具４３ｂの他端部には、ロック金具４３ｂを図４および図５（Ａ）中Ｃ方向へ回動させる錘４３ｅを取り付ける。これにより、回転防止用フック４３ｃが支柱３５のブラケット３５ｂに当接するまでロック金具４３ｂが回動し、ロック状態である水平状態となる（図５（Ａ）参照）。
【００３９】
昇降部３０が上昇して天井裏１１ａに達すると、ロック解除金具２７が相対的に下降してロック解除用押圧部４３ｄを下方へ押圧する。これにより、ロック金具４３ｂが図５（Ｂ）中Ｂ方向へ回動し、安定器フレーム３７から外れてロック状態を解除する。これにより、安定器フレーム３７は、図１中矢印Ｃ方向へ回動可能となり、安定器３３等は傾いて天井裏１１ａに収容される。
【００４０】
以上、説明した本実施形態では、回動機構１２により安定器３３を回動させない昇降時には、回動防止機構４３がロック状態となることにより安定器３３の回動を防止するので、揺れなどによる影響を受けても安定して昇降させることができる。
また、上昇端付近では、昇降部３０の上昇に伴ってロック金具４３ｂにより回動防止機構４３のロック状態が解除されるので、安定器３３を回動させることができる。
なお、昇降部３０が上昇端付近まで上昇すると、安定器３３側のガイド突起３９ａがガイド部材２４の傾斜面２４ａに当接する前に、ロック解除金具２７がロック解除用押圧部４３ｄに接触してロック状態を解除するように、ロック解除金具２７の長さや設置位置を設定する。
【００４１】
なお、本発明の昇降式照明装置は、前述した各実施形態に限定されるものでなく、適宜な変形，改良等が可能である。
例えば、安定器３３の直立を検知するマイクロスイッチ等の検知装置を設けておき、直立状態を確認しながら昇降部３０の昇降を行うようにすることもできる。
【図面の簡単な説明】
【００４２】
【図１】本発明にかかる第１実施形態において灯体が被取付部に取付けられた状態を示す斜視図
【図２】灯体が被取付部から離れている状態を示す斜視図
【図３】本発明にかかる第２実施形態の要部を示す斜視図
【図４】第３実施形態にかかる昇降式照明装置の要部を示す斜視図
【図５】（Ａ）はロック状態を示す斜視図、（Ｂ）はロック解除状態を示す斜視図
【図６】従来の昇降式照明装置を示す斜視図
【符号の説明】
【００４３】
１０  昇降式照明装置
１１  天井（被取付部）
１１ａ  天井裏（上側）
１１ｂ  開口部
１２  回動機構
２０  本体部
２１  昇降装置
２２  ワイヤー
２４  ガイド部材（ガイド金具）
２４ａ  傾斜面
２６  落下防止装置
３０  昇降部
３１  ランプ
３２  灯体
３３  安定器
３９ａ  ガイド突起
４３  回動防止機構
【図１】
2010103036.tif 000003
【図２】
2010103036.tif 000004
【図３】
2010103036.tif 000005
【図４】
2010103036.tif 000006
【図５】
2010103036.tif 000007
【図６】
2010103036.tif 000008